(57)【要約】【課題】手提かご（バスケット）と手提袋（バッグ）とをセットにしたセット容器において、該手提袋を該手提かご内に収容した状態で、人手を添えることなく袋開口部を大きく開放させた状態で維持させ得るようにする。【解決手段】手提かご１と、該手提かご内に着脱自在に収容される手提袋２と有し、手提袋の袋本体２１の上縁部付近における周方向に所定間隔をもった複数箇所に、それぞれ細紐２８の先端部に塊状の掛止材２９を設けた複数の掛止具２７を取付け、手提かごのかご本体１１の上縁部における手提袋の各掛止具２７が対応する各位置に、各掛止材２９を係脱自在に嵌入させ得る複数の掛止受部１７を設け、手提袋を手提かご内に収容した状態で各掛止材２９を各掛止受部１７に掛止させることで、手提袋の開口部をかご本体の内周面に沿って大きく開放させた状態で手提袋をかご本体内に支持させ得るようにしている。【選択図】  図２
2010142555.tif 000002
【特許請求の範囲】
【請求項１】
所定容積を有し且つ保形性と自立性とを有した手提かご（１）と、該手提かご（１）内に着脱自在に収容され且つ該手提かご（１）の容積形状とほぼ同形同大きさで可撓性のある手提袋（２）とのセット容器であって、
上記手提袋（２）の袋本体（２１）の上縁部付近における周方向に所定間隔をもった少なくとも３箇所以上の複数箇所に、それぞれ短小長さの細紐（２８）の先端部に塊状の掛止材（２９）を設けた複数の掛止具（２７，２７・・）を取付ける一方、
上記手提かご（１）のかご本体（１１）の上縁部における上記手提袋（２）の上記各掛止具（２７，２７・・）が対応する各位置に、上記各掛止材（２９）をそれぞれ係脱自在に嵌入させ得る複数の掛止受部（１７，１７・・）を設けているとともに、
上記手提袋（２）を上記手提かご（１）内に収容した状態で上記各掛止材（２９，２９・・）を上記各掛止受部（１７，１７・・）に掛止させることで、手提袋（２）の開口部をかご本体（１１）の内周面に沿って大きく開放させた状態で該手提袋（２）を該かご本体（１１）内に支持させ得るようにしている、
ことを特徴とする手提かごと手提袋のセット容器。
【請求項２】
上記請求項１において、
手提かご（１）のかご本体（１１）と手提袋（２）の袋本体（２１）とを異なる色調のものを使用し、
上記かご本体（１１）の側周部（１４）に多数の透孔（１５ａ）からなる模様部（１５）を形成して、該かご本体（１１）内に手提袋（２）を収容したときに該かご本体（１１）の外部から上記模様部（１５）の各透孔（１５ａ）部分を通して袋本体（２１）の側面材（２４）が見えるようにしている、
ことを特徴とする手提かごと手提袋のセット容器。
【請求項３】
上記請求項１又は２において、
手提かご（１）のかご本体（１１）は、該かご本体（１１）内にスーパーマーケットのような店内に置かれている買物かご（４）を収容し得る大きさを有している、
ことを特徴とする手提かごと手提袋のセット容器。
【請求項４】
上記請求項１から３のいずれか１項において、
手提袋（２）の各掛止具（２７，２７・・）の掛止材（２９，２９・・）として球体状のものを使用している一方、
手提かご（１）の各掛止受部（１７，１７・・）として、上記球体状の掛止材（２９）より僅かに大きい空所を有した上方が開口する凹部（１８）を有し且つ該凹部（１８）のかご本体内面側に上記掛止具（２７）の細紐（２８）を上方から出し入れ自在に挿通させ得る切欠溝（１９）を設けたものを使用している、
ことを特徴とする手提かごと手提袋のセット容器。
【発明の詳細な説明】
【技術分野】
【０００１】
本願発明は、保形性と自立性とを有した手提かごと、該手提かご内に着脱自在に収容される可撓性のある手提袋とのセット容器に関するものである。尚、以下の説明では、上記の保形性と自立性とを有した手提かごをバスケットといい、上記の可撓性のある手提袋をバッグということがある。
【背景技術】
【０００２】
例えばスーパーマーケットで買い物をする際には、多品種の購入物品を店内の買物かご（店内バスケット）に入れてレジまで持っていき、レジにて清算後に、その各種購入物品を該レジで提供される合成樹脂袋（レジ袋）や持参したバッグ（布製のもの）に入れ替えて自宅まで持ち帰る。
【０００３】
ところで、購入物品を収容する袋が可撓性のある素材（合成樹脂シートや布）で製作されているものでは、該袋内に購入物品を入れて持ち運ぶ際に袋の取手を持って持ち上げると、内部の物品重量によって袋底部が下方に下がって袋側周部が中心方向に狭められ、当初は水平姿勢で収容していた物品であっても該収容物品の姿勢が大きく傾くことがある。このように袋内部で物品が大きく傾くと、内容物（例えば寿司や刺し身類）によってはトレーの一方に片寄って型崩れすることがある（見栄えが悪くなる）とともに、液状物が入っているものでは該液状物が包装シート（ラップ）とトレーの間から漏れ出すことがある。又、袋側周部が中心方向に狭められると、袋内の物品が壊れ易いもの（例えば卵）や軟弱なものでは、同梱している硬質物品で圧迫されたりあるいは袋外部から衝撃が加わったときに、破損したり変形したりすることがある。
【０００４】
他方、スーパーマーケット等での買物時に、購入物品を保形性のあるマイバスケットに入れ替えて持ち帰る場合があるが、この場合には該バスケット内に各購入物品を正常姿勢で収容しておくと、上記のように柔軟な袋に収容したときのように各購入物品が不用意に傾いたり外部圧力により破損や変形が起こりにくい。ところが、バスケットの側周部には一般に多数の透孔があって（軽量化のために例えば格子状の多数の穴が形成されている）、持ち帰り途中にその側周部の透孔を通して外部からバスケット内の購入物品が見えてしまうので、あまり見栄えのよいものではなかった。又、このような多数の透孔は、一般にバスケットの底面部にも形成されているが、該バスケット内に微小物品（又は細径の棒状体や細幅で薄いシート類等）を直に収容した場合には、該微小物品が底面部（側面部も含む）の各透孔から抜け落ちたりはみ出したりすることがある。
【０００５】
尚、この種のバスケットを野外でのレジャー時に物品持ち運び用として使用することがあるが、この場合も、各種物品をそのままバスケット内に収容しただけではバスケットの側周部に多数の透孔があると、その各透孔を通して収容物品が外部から見えてしまう（見栄えが悪くなる）とともに、底面部や側面部の各透孔から微小物品が抜け落ちたりはみ出したりすることがある。
【０００６】
又、スーパーマーケット等において購入物品持ち帰り用として、保形性のあるバスケットとその内部に収容される可撓性のあるバッグとをセットにして持参することが考えられる。この場合は、レジを通した購入物品（店内の買物かご内に収容されている）をバスケット内に収容したバッグ内に入れ替えて、バスケットのハンドルを持って持ち運ぶことができるので、収容している購入物品が傾いたり外部から衝撃を受けたりすることがないとともに、該購入物品がバッグ内に収容されていることにより外部から見えにくくなる（見栄えが悪くならない）。
【発明の開示】
【発明が解決しようとする課題】
【０００７】
ところが、上記のように保形性のあるバスケットと可撓性のあるバッグとをセットにしたセット容器を使用する場合は、バスケット内に収容したバッグの開口部を広口に開放させた姿勢で維持させることが難しい。即ち、該マイバッグの生地は一般に「腰」が弱く、バッグをバスケット内に収容しただけではバッグ開口縁部が内方に撓み易いのでバッグ開口面積が小さくなり易い。そして、このバッグ内に購入物品を入れ替える際には、一方の手でバッグ開口縁部を広げた状態に維持し、他方の手で購入物品を掴んでバッグ内に収容するという作業を行う必要がある。
【０００８】
従って、スーパーマーケット等でバスケット内に収容したバッグ内に購入物品を入れ替える際には、一方の手がバッグ開口部開放用に拘束されるので（他方の手でしか物品収容作業が行えない）、その物品収容作業がしにくいとともに該物品収容作業に時間がかかるという問題があった。尚、バスケット内に収容したバッグは、その開口部の全周のどの部分が撓むか不明であり、一部の開口縁を片手で広げても、その対向位置の開口縁が内方に撓むことが多々あり、片手のみでバッグ開口部の全周をきれいに開放状態に維持させるのは困難である。
【０００９】
そこで、本願発明は、手提かご（バスケット）と手提袋（バッグ）とをセットにしたセット容器において、該手提袋を該手提かご内に収容した状態で、人手を添えることなく袋開口部を大きく開放させた状態で維持させ得るようにすることを目的としてなされたものである。
【課題を解決するための手段】
【００１０】
本願発明は、上記課題を解決するための手段として次の構成を有している。
【００１１】
［本願請求項１の発明］
本願請求項１の発明は、所定容積を有し且つ保形性と自立性とを有した手提かご（バスケット）と、該手提かご内に着脱自在に収容され且つ該手提かごの容積形状とほぼ同形同大きさで可撓性のある手提袋（バッグ）とのセット容器を対象にしている。
【００１２】
本願請求項１のセット容器に使用される手提かごは、所定容積を有し且つ保形性と自立性とを有するものであれば、適宜の素材で形成できる。尚、この手提かごの素材としては、価格及び軽量化の観点から主として合成樹脂材料が一般的であるが、金属薄板製のものであってもよい。
【００１３】
手提かごは、かご本体の上部に持ち運び用のハンドルを設けているが、該ハンドルはかご本体に対して起伏自在となっている。尚、この手提かごの本体部分は、平面形状が四角形（長方形）のものが主流であるが、平面視で三角形、五角形以上の多角形、楕円形、真円形等の適宜の形状のものも採用できる。
【００１４】
かご本体の上縁部には、例えば１５mm幅程度の外向きのフランジ部が形成されていて、このフランジ部に後述の掛止受部が形成されている。
【００１５】
このセット容器の手提袋は、一般に布製のものが多用されているが、合成樹脂シート製のものも採用できる。又、この手提袋の袋本体は、上記かご本体部分の形状・大きさに応じて所定の形状・大きさに形成されている。例えば、かご本体が平面四角形のものであれば袋本体も平面四角形で該かご本体の容積とほぼ同大きさ（ごく僅かに小さい）に形成され、かご本体が平面円形のものであれば袋本体も円形で該かご本体の容積とほぼ同大きさ（ごく僅かに小さい）に形成される。尚、この手提袋は、不使用時には小さく折畳むことができるものが好ましい。
【００１６】
この手提袋には、その袋本体の上縁部付近における周方向に所定間隔をもった少なくとも３箇所以上の複数箇所にそれぞれ短小長さの細紐の先端部に塊状の掛止材を設けた複数の掛止具を取付けている。この掛止具の掛止材は、後述する手提かご側の掛止受部に係脱自在に掛止されるもので、球形、ピン形（大径頭部つき）等の適宜の塊状のものが採用できる。この掛止材の大きさは、例えば球形のものでは直径が１０mm程度（特に限定するものではない）のものが適当である。
【００１７】
掛止具の細紐は、例えば２０〜４０mm程度の長さが適当であり、その紐基端部を袋本体の上縁部付近に縫い付け等の手段で固定している。
【００１８】
この掛止具の取付個数は、手提かごが平面多角形のものではそれぞれの角部に１個ずつ（三角形では３個、四角形では４個、五角形以上ではその角部の個数だけ）設け、楕円形又は真円形のものでは、その周方向に所定間隔をもって４〜６個程度の個数を取付けるとよい。
【００１９】
他方、このセット容器の手提かごには、そのかご本体の上縁部（フランジ部）における手提袋の各掛止具が対応する各位置に各掛止材をそれぞれ係脱自在に嵌入させ得る複数の掛止受部を設けている。即ち、この掛止受部は、手提袋に設けた掛止具の個数と同数で該各掛止具の取付位置に対応する各位置に設けられている。
【００２０】
この各掛止受部としては、手提袋側の掛止材が球形のものでは下方に凹入する半球状の凹部が採用でき、該手提袋側の掛止材がピン形のものでは穴（ピン挿入穴）が採用できる。そして、この各掛止受部は、手提袋側の掛止材を上方側から嵌脱自在に嵌合させ得るようになっており、且つ掛止材を掛止受部に嵌合させた状態では、掛止具の細紐が下方又は水平方向に引っ張られても掛止材が掛止受部から外れないようになっている。
【００２１】
そして、このセット容器では、手提袋を手提かご内に収容し、手提袋側の各掛止材を手提かご側の各掛止受部に掛止させることで、手提袋の開口部をかご本体の内周面に沿って大きく開放させた状態で、手提袋をかご本体内に支持させ得るようになっている。
【００２２】
本願請求項１のセット容器は、次のような機能がある。
【００２３】
まず、手提袋を開放状態で手提かご内にセットするには、手提袋を手提かご内に収容し、該手提袋側の各掛止具の各掛止材をかご本体側の対応位置にある各掛止受部にそれぞれ嵌入させる。すると、手提袋の上縁部における各掛止具の取付け部分が各細紐を介してかご本体の上縁部周縁に掛止され、手提袋の開口縁部がかご本体の内周面に沿って大きく開放した状態で、該手提袋を手提かごの内面部で支持させることができる。
【００２４】
そして、このように手提袋の開口部を手提かご（かご本体）の内周面に沿って大きく開放させた状態で手提袋をかご本体内に支持させておくと、かご本体内の手提袋（袋本体）内に物品を出し入れする際に両手が自由に使え、しかも手提袋（袋本体）の開口部が大きく開放されているので物品の出し入れが容易に行える。
【００２５】
手提かご内の手提袋内に物品を収容した状態で手提かごのハンドルを持って持ち運びすることができるが、その際に手提袋が開放状態のまま維持されているので、手提袋（袋本体）内に収容した各物品が袋本体の側周部で圧迫されたり、該物品が該袋本体内で移動（傾動又は転倒）することがない。
【００２６】
又、手提袋を手提かごから抜き外すには、手提袋側の各掛止具（掛止材）を手提かご側の各掛止受部から外し、手提袋の取手を持って上方に引き上げることで行える。尚、手提袋を上方に引き上げることで、手提袋側の各掛止具（掛止材）を手提かご側の各掛止受部から自動で抜き外すことができるようにしておくと、該手提袋を手提かごから簡単に抜き外すことができる。
【００２７】
［本願請求項２の発明］
本願請求項２の発明は、上記請求項１のセット容器において、手提かごのかご本体と手提袋の袋本体とを異なる色調のものを使用しているとともに、かご本体の側周部に多数の透孔からなる模様部を形成して、該かご本体内に手提袋を収容したときに該かご本体の外部から模様部の各透孔部分を通して袋本体の側面材が見えるようにしている。
【００２８】
手提かごのかご本体と手提袋の袋本体は、それぞれ適宜の色調のものが採用されるが、この請求項２では、かご本体と袋本体とを相互に異なる色調のもの採用している。
【００２９】
他方、かご本体の側周部には、デザイン面及び軽量化のために多数の透孔からなる模様部を形成しており、かご本体の外部から模様部の各透孔部分を通してかご本体内部が見えるようになっている。尚、かご本体内に手提袋を収容していない状態では、かご本体側周部の模様部（各透孔部分）は単に透明であって色彩があるものではない。
【００３０】
そして、この請求項２のセット容器では、上記請求項１のように手提かご（かご本体）内に手提袋を開放状態で収容すると、該手提袋の側面材がかご本体の内周面に近接した状態で位置するようになる。この状態では、かご本体の側周部の模様部（各透孔部分）を通して手提袋の側面材が見えるが、このとき手提袋側面材の色調がかご本体の色調と異なっていると、該模様部（各透孔部分）にかご本体の色調と異なる色調（手提袋側面材の色調）が現れるので、該模様部が鮮明に見えるようになる。
【００３１】
又、かご本体の上記模様部（多数の透孔）は、一般に底面部にも形成されているが、該かご本体内に直に微小物品（極細物品や細幅シート等を含む）を収容すると、該微小物品が各透孔から抜け落ちたりはみ出したりすることがあるが、かご本体内に手提袋を収容した状態で該手提袋内に微小物品を収容することで、微小物品の脱落を防止できる。
【００３２】
［本願請求項３の発明］
本願請求項３の発明は、上記請求項１又は２のセット容器において、手提かごのかご本体として、該かご本体内にスーパーマーケットのような店内に置かれている買物かごを収容し得る大きさのものを使用している。
【００３３】
この請求項３のセット容器では、後述の実施例に示すようにスーパーマーケット等で買物をする際に、店内に置かれている買物かごを本願の手提かご内に収容して持ち運ぶことができる。そのとき、手提袋は小さく折畳んでおいて手提かごの外側面に吊下げておくとよい。尚、手提かごと店内買物かごとを二重にした状態でショッピングカートに乗せることができ、店内での購入物品は二重かごの内側かご（店内買物かご）内に収容する。
【００３４】
そして、購入物品をレジで清算した後に、店内買物かご（購入物品入り）を本願の手提かご（マイバスケット）から抜き出して、上記請求項１のように手提かご（マイバスケット）に手提袋を開放状態でセットし、店内買物かご内の購入物品を手提袋内に移し替えれば、購入物品をセット容器ごと持ち帰ることができる。
【００３５】
［本願請求項４の発明］
本願請求項４の発明は、上記請求項１から３のいずれか１項のセット容器において、手提袋の各掛止具の掛止材として球体状のものを使用している一方、手提かごの各掛止受部として該掛止材より僅かに大きい空所を有した上方が開口する凹部を有し且つ該凹部のかご本体内面側に掛止具の細紐を上方から出し入れ自在に挿通させ得る切欠溝を設けたものを使用している。
【００３６】
この請求項４のセット容器では、かご本体内に手提袋を開放状態でセットするのに、球体状の各掛止材を凹部からなる各掛止受部内にそれぞれ上方から嵌入させた状態で、各掛止具の細紐を各掛止受部の切欠溝に通しておく。このようにすると、かご本体の上縁部の上面から手提袋側の各掛止具（細紐及び掛止材）が突出することない。
【００３７】
そして、手提袋を手提かご内にセットした状態で、手提袋の取手を持って上方に引き上げると、各掛止具の細紐及び掛止材がかご本体側の各掛止受部から自動で上方に抜け出し、該手提袋を手提かごから簡単に抜き外すことができる。
【００３８】
尚、この請求項４のセット容器において、掛止材を掛止受部内に嵌入させている状態では、細紐をかご本体の内方（水平方向及び下方）に向けて引っ張っても、該掛止材が掛止受部から不用意に外れることはない。
【発明の効果】
【００３９】
［本願請求項１の発明の効果］
本願請求項１の発明のセット容器は、手提袋の上縁部付近に周方向に所定間隔をもった複数箇所（３箇所以上）にそれぞれ掛止具を設けている一方、手提かごの上縁部に各掛止具の掛止材を掛止するための掛止具と同数の掛止受部を設けているので、手提袋を手提かご内に収容した状態で手提袋側の各掛止具（掛止材）を手提かご側の各掛止受部に掛止させることにより、手提袋の袋本体の開口部を大きく開放させた状態で支持できるようになっている。
【００４０】
従って、この請求項１のセット容器では、手提袋の袋本体を手提かご内において人手を添えることなく袋開口部を大きく開放させた状態で維持させることができるので、手提かご内の手提袋内に物品を出し入れする作業を両手で行うことができ、その物品出し入れ作業が簡単となるという効果がある。
【００４１】
又、このセット容器では、手提かご内の手提袋内に物品を収容した状態で手提かごのハンドルを持って持ち運びできるが、その場合、手提袋内の物品は袋側周部で圧迫されることがないので、各物品同士が過度に圧迫されたり、あるいは該物品が手提袋内で移動（転倒又は傾動）することがなくなり、該物品（例えば寿司や刺し身等）が形崩れするのを防止できるという効果もある。
【００４２】
［本願請求項２の発明の効果］
本願請求項２の発明は、上記請求項１のセット容器において、手提かごのかご本体と手提袋の袋本体とを異なる色調のものを使用し、かご本体の側周部に多数の透孔からなる模様部を形成して、該かご本体内に手提袋を収容したときに該かご本体の外部から模様部の各透孔部分を通して袋本体の側面材が見えるようにしたものである。
【００４３】
そして、この請求項２のセット容器では、手提かご（かご本体）内に手提袋を開放状態で収容すると、かご本体の側周部の模様部（各透孔部分）にかご本体の色調と異なる色調（手提袋側面材の色調）が現れるので、該模様部が鮮明に見えるようになる。
【００４４】
従って、この請求項２のセット容器では、上記請求項１の効果に加えて、手提かご側周部の模様部を鮮明に現出させることができるので、上記請求項１の効果に加えて、手提かごの意匠感を良好にできるという効果がある。
【００４５】
尚、手提かご側周部の模様部が透孔であっても、かご本体内に手提袋を収容した状態で該手提袋内に微小物品を収容すると、該微小物品が各透孔から抜け落ちたりはみ出すことがない。
【００４６】
［本願請求項３の発明の効果］
本願請求項３の発明は、上記請求項１又は２のセット容器において、手提かごのかご本体として、該かご本体内にスーパーマーケットのような店内に置かれている買物かごを収容し得る大きさのものを使用している。
【００４７】
そして、この請求項３のセット容器を店内で使用するときには、手提かごのかご本体内に店内買物かごを収容した状態（一体化させた状態）で持ち運ぶことができるとともに、買物後に購入物品を本願のセット容器に入れ替えて持ち帰ることができる。
【００４８】
従って、この請求項３のセット容器では、上記請求項１〜２の効果に加えて、店内での買物時に本願の手提かごが邪魔にならないとともに、店内での物品購入にも本願のセット容器を使用できるという効果がある。
【００４９】
［本願請求項４の発明の効果］
本願請求項４の発明は、上記請求項１から３のいずれか１項のセット容器において、手提袋の各掛止具の掛止材として球体状のものを使用し、手提かごの各掛止受部として該掛止材より僅かに大きい空所を有した凹部を有し且つ該凹部に掛止具の細紐を上方から出し入れ自在に挿通させ得る切欠溝を設けたものを使用している。
【００５０】
そして、この請求項４のセット容器では、かご本体内に手提袋を開放状態でセットするのに、球体状の各掛止材を凹部からなる各掛止受部内にそれぞれ上方から嵌入させた状態で、各掛止具の細紐を各掛止受部の切欠溝に通しておく。このようにすると、かご本体の上縁部の上面から手提袋側の各掛止具（細紐及び掛止材）が突出することがない。
【００５１】
従って、この請求項４のセット容器では、上記請求項１〜３の効果に加えて、手提袋を手提かご内にセットした状態において、各掛止具（細紐及び掛止材）が手提かごの上縁部上面から突出しないので、該各掛止具が邪魔にならない（例えば手提かごのハンドルをかご本体上縁部の上面に倒伏させても、該ハンドルが各掛止具に直接当たらない）という効果がある。
【００５２】
又、この請求項４のセット容器では、手提かご内に手提袋を開放状態で装着させた状態で、手提袋の取手を持って上方に引き上げると、各掛止具の細紐及び掛止材がかご本体側の各掛止受部から自動的に上方に抜け出すので、該手提袋を手提かごから簡単に抜き外すことができるという効果もある。
【実施例】
【００５３】
以下、図１〜図１０を参照して本願実施例の手提かごと手提袋のセット容器を説明すると、図１〜図８には第１実施例のセット容器が示され、図９には第１実施例における掛止具２７と掛止受部１７との変形例（第２実施例）が示され、図１０には、第１実施例における手提かご１及び手提袋２の形状変形例（第３実施例）を示している。
【００５４】
第１実施例（図１〜図８）のセット容器は、図１及び図２に示すように、保形性と自立性とを有した手提かご（バスケット）１と、該手提かご１内に収容される可撓性のある手提袋（バッグ）２とを１セットにしたものである。
【００５５】
手提かご（バスケット）１は、この第１実施例では、合成樹脂成形品であり、平面長方形の箱型のかご本体１１に２つのハンドル１２，１２を取付けて形成されている。
【００５６】
手提かご１のかご本体１１は、その底面部１３とその周囲を囲う側周部１４とを一体成形したものである。側周部１４の上縁部には、所定小幅（例えば１５mm程度の幅）の外向きのフランジ部１６が全周に亘って一体成形されている。
【００５７】
かご本体１１内の容積は、特に限定するものではないが、短辺側長さが約３３cm、長辺側長さが約４８cm、深さが約２２cm程度の大きさで、後述する（図６に示す）ように該かご本体１１内にスーパーマーケットの店内で置かれている買物かご４を収容し得るようになっている。
【００５８】
かご本体１１の底面部１３及び側周部１４には、それぞれ多数の小径透孔１５ａからなる模様部１５，１５が形成されている。この模様部１５（多数の透孔１５ａ）は、手提かご１の軽量化と意匠感（デザイン）を良好にするためのものである。
【００５９】
かご本体１１の側周部１４における小面積側の各側面部の上部位置には、図４に示すように手指差込み用の手掛け穴１４ａ，１４ａが形成されていて、該両手掛け穴１４ａ，１４ａにそれぞれ手指を掛けることによって、この手提かご１を持ち運ぶことができるようになっている。この場合は、ハンドル１２，１２をフランジ部１６上に倒伏させた状態で持ち運びできる。
【００６０】
手提袋（バッグ）２は、袋本体２１の開口縁部に２つの取手２２，２２を取付けて形成されている。袋本体２１は、布製のものが多用されるが、合成樹脂シート製のものでもよい。各取手２２，２２は、帯紐状のものである。
【００６１】
袋本体２１は、長方形の底面材２３と４枚の側面材２４，２４・・とを、それらの側縁部同士を縫合することによって四角形の袋状に形成している。４枚の側面材２４，２４・・は、その上縁部を所定小幅だけ折返す（図３、図５に示す折返し部２５）とともに、各側面材２４，２４・・の側縁部同士を縫合している（四隅にそれぞれ縫合部２６が形成されている）。このように、上記折返し部２５と各縫合部２６とにより、この袋本体２１にいくらかでも剛性を持たせるようにしている。
【００６２】
この袋本体２１は、かご本体１１内に出し入れ自在に収容し得るもので、該かご本体１１の容積形状とほぼ同形同大きさ（かご本体１１の容積よりごく僅かに小さい）に形成されている。
【００６３】
この手提袋２は、不使用時には、図６に示すように小さく折畳むことができるようになっている。尚、手提袋２の折畳み状態でその外周に止めバンドを巻付けると、該手提袋２が広がらない。
【００６４】
手提袋２には、その袋本体２１の上縁部付近における各角部（４箇所）にそれぞれ掛止具２７，２７・・（合計４つ）を取付けている。
【００６５】
この各掛止具２７は、図３及び図５に拡大図示するように、例えば２０〜４０mm程度の短小長さの細紐２８の先端部に塊状の掛止材２９を取付けたものである。そして、この各掛止具２７，２７・・は、その細紐２８の基端部を袋本体２１の四隅（各角部）の上縁部付近の外面側において、各側面材２４，２４の両側縁部とともに縫着（縫合部２６）して取付けている。
【００６６】
各掛止具２７の掛止材２９は、この第１実施例では、図３及び図５に示すように球体状のものが採用されている。この球体状の掛止材２９の大きさは、その直径が１０mm程度である。
【００６７】
この第１実施例で使用されている手提袋２には、袋本体２１の上部開口を被覆するメッシュ生地製の覆い布３０が設けられている。この覆い布３０は、袋本体２１の内周面に沿う筒形状であって、その一端縁部（上縁部）を袋本体２１の上縁部の折返し部２５内に挟み込んだ状態で該折返し部２５とともに縫合して取付けている。又、この覆い布３０の自由端側には環状の締め紐３１が挿通されており、該締め紐３１を引き締めることによって、図８に示すように袋本体２１の上部開口を被覆し得るようになっている。
【００６８】
他方、手提かご１には、そのかご本体１１の上縁部（フランジ部１６）における４つの各角部に、上記各掛止具２７，２７・・の掛止材２９，２９・・をそれぞれ係脱自在に嵌入させ得る各掛止受部１７，１７・・を設けている。この各掛止受部１７は、図３及び図５に拡大図示するように、球体状の掛止材２９より僅かに大きい空所を有した上方が開口する凹部１８を有し、且つ該凹部１８のかご本体内面側に掛止具２７の細紐２８を上方から出し入れ自在に挿通させ得る切欠溝１９を設けて形成されている。尚、この掛止受部１７は、手提かご１の成形時に一体成形される。
【００６９】
かご本体１１側の掛止受部１７に袋本体２１側の掛止具２７を掛止するには、掛止受部１７の凹部１８内に掛止具２７の掛止材２９を上方から収容し（落とし込み）、掛止具２７の細紐２８を掛止受部１７の切欠溝１９に挿通させることで行える。
【００７０】
そして、図４に示すように、かご本体１１内に手提袋２（袋本体２１）を収容した状態で、各掛止具２７，２７・・の掛止材２９をそれぞれ各掛止受部１７，１７・・（４箇所）の各凹部１８内に落とし込む（そのとき各細紐２８を各切欠溝１９に挿通させる）ことにより、袋本体２１の各側面材２４，２４・・をかご本体１１の側周部１４内面に沿わせた状態（袋開口部を大きく開放させた状態）で、該手提袋２を手提かご１内に装着（セット）できる。
【００７１】
又、各掛止具２７の各掛止受部１７に対する掛止状態では、図５に示すように、球体状の掛止材２９が完全に凹部１８内に落とし込まれているとともに、細紐２８が切欠溝１９内に挿通されているので、掛止具２７の全体（細紐２８及び掛止材２９）がかご本体１１の上面（フランジ部１６の上面）から突出しないようになっている。
【００７２】
他方、手提かご１に装着している手提袋２を抜き外すには、図４の状態から両取手２２，２２を持って上方に引き上げる。すると、袋本体２１の四隅も上方に引き上げられることにより、図５に鎖線図示するように各掛止具２７′の各細紐２８′を介して各掛止材２９′（４つ）がそれぞれ自動的に各掛止受部１７から抜け出して、袋本体を鎖線図示（符号２１′）するようにかご本体１１から上方に抜き外すことができる。
【００７３】
次に、この第１実施例のセット容器の使用方法及び機能について説明する。
【００７４】
このセット容器において、手提袋２を開放状態で手提かご１内にセットするには、手提袋２（袋本体２１部分）を手提かご１（かご本体１１）内に収容した状態で、袋本体２１の各角部にある各掛止具２７，２７・・の各掛止材２９，２９・・をそれぞれかご本体１１の上縁部（フランジ部１６）の各角部にある各掛止受部１７，１７・・（各凹部１８，１８・・）に嵌入させる。このとき、図５に示すように、球体状の掛止材２９の全体が掛止受部１７の凹部１８内に埋没するとともに、掛止具２７の細紐２８が掛止受部１７の切欠溝１９に挿通される。
【００７５】
この状態では、図４に示すように、手提袋２（袋本体２１）の上縁部の各角部が各掛止具２７，２７・・でかご本体１１の上縁部の各角部（掛止受部１７）に掛止されるので、袋本体２１の開口縁部がかご本体１１の内周面に沿って大きく開放した状態で、該袋本体２１をかご本体１１内に支持させることができる。このとき、袋本体２１の各側面材２４（４面ある）は、それぞれかご本体１１の側周部１４内面に近接している。尚、袋本体２１をかご本体１１内に収容させた状態では、手提袋２の各取手２２，２２をそれぞれかご本体１１の外側に垂れ下げておく。
【００７６】
このように、袋本体２１をかご本体１１内にセットしていると、かご本体側周部１４の模様部１５（多数の透孔１５ａ）の裏側（内面側）に袋本体２１の側面材２４が近接状態で位置しており、かご本体側周部１４の模様部１５（各透孔１５ａ部分）にかご本体１１の色調と異なる色調（袋本体側面材２４の色調）が現れるので、該模様部１５が鮮明に見えるようになる。従って、手提かご１の意匠感を良好にすることができる。
【００７７】
又、各掛止具２７の各掛止受部１７に対する掛止状態では、図５に示すように、球体状の掛止材２９が完全に凹部１８内に落とし込まれているとともに、細紐２８が切欠溝１９内に挿通されているので、掛止具２７の全体（細紐２８及び掛止材２９）がかご本体１１の上面（フランジ部１６の上面）から突出しないようになっている。従って、例えば図５に示すように手提かご１のハンドル１２をフランジ部１６の上面に近接（又は接触）するまで倒伏させても、該ハンドル１２が掛止具２７（細紐２８や掛止材２９）に接触することがなく、該掛止具２７が邪魔にならない。又、この掛止状態（図５）では、例えば袋本体２１内の物品重量等によって掛止具２７の細紐２８が下方又は水平方向に引っ張られても、掛止材２９が掛止受部１７（凹部１８）から抜け出すことがないので、袋本体２１が開放姿勢で安定している。
【００７８】
そして、このように（図４のように）手提袋２（袋本体２１）の開口部を手提かご１（かご本体１１）の内周面に沿って大きく開放させた状態で袋本体２１をかご本体１１内に支持させておくと、かご本体１１内の手提袋１（袋本体２１）内に物品を出し入れする際に両手が自由に使え、しかも手提袋１（袋本体２１）の開口部が大きく開放されているので物品の出し入れが容易に行える。
【００７９】
このセット容器は、かご本体１１内の手提袋２（袋本体２１）内に物品を収容した状態で手提かご１のハンドル１２，１２を持って持ち運びすることができるが、その際に袋本体２１が開放状態のまま維持されているので、袋本体２１内に収容した各物品が該袋本体２１の側周部で圧迫されることがなく、該物品が袋本体２１内で移動（傾動又は転倒）することがない。
【００８０】
又、手提袋２を手提かご１（かご本体１１）から抜き外すには、手提袋２の取手２２，２２を持って上方に引き上げる。すると、各掛止具２７，２７・・の掛止材２９，２９・・がそれぞれ各掛止受部１７，１７・・（凹部１８）から自動的に抜け出し、該手提袋２を手提かご１から簡単に抜き外すことができる。
【００８１】
ところで、この第１実施例で使用される手提かご１のかご本体１１は、該かご本体１１内にスーパーマーケットのような店内に置かれている買物かご４を収容し得る大きさのものを使用している。即ち、図６に示すように、手提かご１のかご本体１１内に店内買物かご４を収容した状態で、手提かご１のハンドル１２を持って二重かご状態で持ち運びできるようになっている。その場合、手提袋２は、図６に示すように小さく折畳んでおいて、その折畳み手提袋２を、１つの掛止具２７でかご本体１１の１つの角部にある掛止受部１７に掛止して手提かご１の外側に吊下げておくとよい。手提かご１のかご本体１１は、その内部に店内買物かご４を収容し得る大きさであるが、該手提かご１は店内のショッピングカートに乗せ得る大きさである。
【００８２】
尚、手提かご１のかご本体１１内に店内買物かご４を収容したときに、店内買物かご４の形状又は大きさによっては手提かご１のハンドル１２を立ち起こせないことがあるが、その場合は、手提かご１（かご本体１１）の小面積側の各側面部に設けている各手掛け穴１４ａ，１４ａ（図４参照）に手指を掛けて二重かご（手提かご１と店内買物かご４）を持ち運ぶようにするとよい。
【００８３】
そして、この第１実施例のセット容器は、図６〜図７に示すように店内買物かご４を併用して、スーパーマーケット等での買物に使用できる。その際、図６に示すように店内買物かご４を手提かご１（かご本体１１）内に収容し、折畳み状態の手提袋２をかご本体１１の外側に吊下げた状態で手提かご１のハンドル１２を持って持ち運ぶ（又は二重かご状態でショッピングカートに乗せる）ことができる。
【００８４】
店内での購入物品Ｂは、手提かご１内に収容した店内買物かご４内に入れる。そして、購入物品Ｂを収容した二重かごの状態でレジまで持ち運び、該レジで清算する際に、図７に示すように店内買物かご４（購入物品Ｂ入り）を手提かご１から抜き出し、手早く手提かご１のかご本体１１内に手提袋２（袋本体２１）を開放状態でセットし、店内買物かご４内の購入物品Ｂを手提袋２内に移し替えれば、図８に示すように購入物品Ｂをセット容器ごと持ち帰ることができる。
【００８５】
店内での物品購入時における他の手順として、次のように行うこともできる。まず、図６の状態でレジまで持ち運び、その二重かごのままでその店内買物かご４内の購入物品Ｂを順次レジを通して（清算して）一旦別の店内買物かご内に移し替えてもらい、代金の支払いを終えた後に購入物品入りの店内買物かごと空の二重かごとを整理カウンターまで移動させ、そこで二重かごの店内買物かごを手提かご１から外し、空の手提かご１に手提袋２を開放状態でセットし、その手提袋２（袋本体２１）内に別の店内買物かごに収容したままの購入物品を移し替えるようにする。このように、セット容器への購入物品移し替え作業を、レジで清算後に行うようにすると、レジでの拘束時間が長くならない。
【００８６】
この第１実施例のセット容器を店内で使用するときには、図６に示すように手提かご１（かご本体１１）内に店内買物かご４を収容した状態（一体化させた状態）で持ち運ぶことができるとともに、買物後に図７〜図８に示すように購入物品Ｂをのセット容器に入れ替えて持ち帰ることができる。従って、このセット容器では、店内での買物時に手提かご１が邪魔にならないとともに、店内での物品購入時にもこのセット容器を使用できる。尚、購入物品Ｂを手提袋入り手提かご１内に収容して持ち帰る際には、図８に示すように、覆い布３０の締め紐３１を引っ締めて（覆い布３０の開口が小さくなる）、該覆い布３０で袋本体２１内の購入物品Ｂの上方を被覆しておくと、袋本体２１の上部側からも収容物品Ｂが見えにくくなって、見栄えがよくなる。
【００８７】
図９に示す第２実施例は、上記第１実施例における掛止具２７及び掛止受部１７の変形例を示したものである。
【００８８】
この図９に示す変形例（第２実施例）では、手提袋２側の掛止具２７の細紐２８の先端部に取付けた掛止材２９として、大径頭部２９ａ付きのピン２９ｂを使用している一方、手提かご１（かご本体１１）側の掛止受部１７として、掛止材２９のピン２９ｂを挿入し得る穴２０を採用している。尚、第１実施例と同様に、掛止具２７は袋本体２１の上縁部付近の四隅（４箇所）にそれぞれ取付けられている一方、掛止受部１７（穴２０）はかご本体１１のフランジ部１６における四隅（４箇所）にそれぞれ設けられている。
【００８９】
掛止材２９の大径頭部２９ａは、小高さのフランジ状のものであって掛止受部１７となる穴２０より大径である。従って、掛止材２９のピン２９ｂを該穴２０（掛止受部１７）に挿入したときに、該大径頭部２９ａがフランジ部１６の上面に衝合して、該掛止材２９が穴２０から下方に抜け出さないようになっている。
【００９０】
この図９（第２実施例）のものでも、各掛止材２９（４箇所）をそれぞれ掛止受部１７（４箇所）に嵌挿させた状態では、第１実施例（図４）と同様に袋本体２１を開放状態でかご本体１１内に支持させることができる。そして、鎖線図示するように、袋本体２１′を上方に引き上げると、掛止具２７′の掛止材２９′（４箇所）がそれぞれ掛止受部１７（４箇所）から抜け出して、袋本体２１′をかご本体１１から上方に抜き外すことができるようになっている。
【００９１】
図１０に示す第３実施例は、上記第１実施例における手提かご１及び手提袋２の変形例を示したものである。
【００９２】
この図１０に示す第３実施例のセット容器では、手提かご１のかご本体１１及び手提袋２の袋本体２１をそれぞれ平面円形のものを使用している。そして、袋本体２１の上縁部近傍における周方向に等間隔をもった６箇所に、それぞれ掛止具２７，２７・・を取付けている一方、かご本体１１の上縁部（フランジ部１６）における周方向に等間隔をもった６箇所に、それぞれ掛止受部１７，１７・・を設けている。
【００９３】
袋本体２１側の各掛止具２７及びかご本体１１側の掛止受部１７は、それぞれ第１実施例のものと同じものが採用されている。即ち、図３又は図５の第１実施例と同様に、各掛止具２７は、短小な細紐２８の先端部に球体状の掛止材２９を取付けたものであり、各掛止受部１７は、凹部１８と切欠溝１９を有したものである。
【００９４】
そして、図１０（第３実施例）のセット容器では、手提袋２の袋本体２１を手提かご１のかご本体１１内に収容して、袋本体２１側の各掛止具２７（６箇所）をかご本体１１側の各掛止受部１７（６箇所）に掛止すると、袋本体２１の上縁部がかご本体１１の側周部１４内面に沿って鎖線図示（符号２１′）するように円形に近い略正六角形に広がった状態で支持されるようになる。尚、この第３実施例のセット容器のその他の機能は、上記第１実施例のものとほぼ同じであるので、該第１実施例の説明を援用する。
【００９５】
この図１０（第３実施例）の場合は、掛止具２７と掛止受部１７とが周方向に等間隔で６箇所ずつ設けられているが、この各個数を多くするほど袋本体２１の開口部を平面円形に近づけることができる（反面、掛止箇所が多くなるほと、掛止回数が多くなる）。尚、袋本体２１の掛止箇所（掛止具２７と掛止受部１７の設置箇所）は、周方向に４箇所でも５箇所でもよいが、該掛止箇所が少なくなるほど、かご本体１１の開口面積に対する袋本体２１の開放面積が小さくなるので、この第３実施例のように平面円形のものでは、上記のように６箇所程度で掛止させるのが適当である（掛止箇所が６箇所より多くなると、掛止回数が多くなって作業が繁雑になる）。
【図面の簡単な説明】
【００９６】
【図１】本願第１実施例のセット容器における手提かごと手提袋の分離状態正面図。
【図２】図１のセット容器における手提かごと手提袋の分離状態平面図。
【図３】図１の手提かごと手提袋の分離状態での一部拡大斜視図。
【図４】図１のセット容器における手提かごと手提袋とのセット状態を示す斜視図。
【図５】図４のＶ−Ｖ拡大断面図。
【図６】図１のセット容器の使用方法の一例を示す説明図。
【図７】図６からの工程変化図。
【図８】図７からの工程変化図。
【図９】本願第２実施例のセット容器における一部拡大断面図（図５相当図）。
【図１０】本願第３実施例のセット容器における手提かごと手提袋の分離状態斜視図。
【符号の説明】
【００９７】
１は手提かご、２は手提袋、４は店内買物かご、１１はかご本体、１２はハンドル、１４は側周部、１５は模様部、１５ａは透孔、１６はフランジ部、１７は掛止受部、１８は凹部、１９は切欠溝、２１は袋本体、２２は取手、２４は側面材、２７は掛止具、２８は細紐、２９は掛止材である。
【図１】
2010142555.tif 000003
【図２】
2010142555.tif 000004
【図３】
2010142555.tif 000005
【図４】
2010142555.tif 000006
【図５】
2010142555.tif 000007
【図６】
2010142555.tif 000008
【図７】
2010142555.tif 000009
【図８】
2010142555.tif 000010
【図９】
2010142555.tif 000011
【図１０】
2010142555.tif 000012